(57)【要約】システム情報伝送及び更新方法が開示される。本発明の一実施例によるシステム情報伝送方法は、任意の制御区間の開始時点で、複数のグループに分類されたシステム情報のインデックスを含むチャネル記述伝送制御情報を端末に伝送し、前記制御区間で前記インデックスによる伝送時点に該当のグループのシステム情報を前記端末に伝送する過程を含む。本発明の実施の形態によれば、基地局で分類されたシステム情報を非周期的にスケジューリングすることができ、システム情報の更新時間を短縮させることができ、端末のネットワーク進入及び初期化にかかる時間を減らすことができ、システム側面において初期レンジングの試みに対する分散効果を得ることができる。【選択図】図９
2011510537.tif 000002
【特許請求の範囲】
【請求項１】
無線接続システムにおいて基地局がシステム情報をブロードキャストする方法であって、
任意の制御区間の開始時点で、複数のグループに分類されたシステム情報のインデックスを含むチャネル記述伝送制御情報を端末に伝送する段階と、
前記制御区間で、前記インデックスによる伝送時点に、該当のグループのシステム情報を前記端末に伝送する段階と、
を含む、システム情報伝送方法。
【請求項２】
前記制御区間で特定グループのシステム情報が変更されると、次の制御区間で設定変更カウントを増加させ、該設定変更カウントを含むチャネル記述伝送制御情報を前記端末に伝送する段階と、
前記次の制御区間で、前記特定グループのシステム情報を前記端末に伝送する段階と、
をさらに含む、請求項１に記載のシステム情報伝送方法。
【請求項３】
前記制御区間で特定グループのシステム情報が変更されると、次の制御区間で、前記特定グループに該当するグループ別設定変更カウントを増加させ、前記変更されたシステム情報及び前記増加されたグループ別設定変更カウントを前記端末に伝送する段階をさらに含む、請求項１に記載のシステム情報伝送方法。
【請求項４】
前記複数のグループに分類されたシステム情報は、
該当のグループのグループタイプ、設定変更カウント及び変更ビットのうち少なくとも一つを含む、請求項１に記載のシステム情報伝送方法。
【請求項５】
前記複数のグループに分類されたシステム情報は、
伝送頻度数によって２以上のグループに分類された情報である、請求項１に記載のシステム情報伝送方法。
【請求項６】
前記複数のグループは、
最も多い伝送頻度のグループが、初期レンジングコード、レンジングコードグループの開始点及び初期レンジングバックオフ開始点のうち少なくとも一つで構成される初期レンジング関連情報と伝送電力関連情報を含む、請求項１に記載のシステム情報伝送方法。
【請求項７】
前記基地局が、前記設定変更カウントを含むＭＡＰメッセージをブロードキャストする段階をさらに含む、請求項１に記載のシステム情報伝送方法。
【請求項８】
無線接続システムにおいて基地局がシステム情報をブロードキャストする方法であって、
任意の制御区間の開始時点で、複数のグループに分類されたシステム情報のインデックスを含むチャネル記述伝送制御情報を、端末に伝送する段階と、
前記制御区間で、前記インデックスによる伝送時点に、該当のグループのシステム情報を該当のグループの設定変更カウントと一緒に前記端末に伝送する段階と、
を含む、システム情報伝送方法。
【請求項９】
前記制御区間で特定グループのシステム情報が変更されると、次の制御区間で、システム情報が変更されたグループの設定変更カウントを増加させる段階と、
前記次の制御区間で、前記特定グループのシステム情報を前記増加された設定変更カウントと一緒に前記端末に伝送する段階と、
をさらに含む、請求項８に記載のシステム情報伝送方法。
【請求項１０】
前記基地局が、各グループの設定変更カウントを含むＭＡＰメッセージをブロードキャストする段階をさらに含む、請求項８に記載のシステム情報伝送方法。
【請求項１１】
前記基地局が、各グループの設定変更カウントを含む隣接基地局公示（ＭＯＢ−ＮＢＲ−ＡＤＶ）メッセージをブロードキャストする段階をさらに含む、請求項８に記載のシステム情報伝送方法。
【請求項１２】
無線接続システムにおいて基地局がブロードキャストするシステム情報を更新する方法であって、
任意の制御区間の開始時点で、複数のグループに分類されたシステム情報のインデックス及び設定変更カウントを含むチャネル記述伝送制御情報を受信する段階と、
前記制御区間で、前記インデックスによる伝送時点に、該当のグループのシステム情報を受信する段階と、
前記設定変更カウントが、端末に保存された設定変更カウントと異なると、現在システム情報を前記受信したシステム情報に更新する段階と、
を含む、システム情報更新方法。
【請求項１３】
前記複数のグループに分類されたシステム情報は、
該当のグループのグループタイプ、設定変更カウント及び変更ビットのうち少なくとも一つを含む、請求項１２に記載のシステム情報更新方法。
【請求項１４】
現在システム情報を前記受信したシステム情報に更新する段階は、
前記受信したシステム情報に含まれた変更ビットが変更状態に設定されたシステム情報のみをデコーディングして現在システム情報を更新する段階を含む、請求項１２に記載のシステム情報更新方法。
【請求項１５】
前記制御区間で特定グループのシステム情報が変更されると、次の制御区間で、前記設定変更カウントが増加されたチャネル記述伝送制御情報を受信する段階と、
前記次の制御区間で、前記特定グループのシステム情報を受信する段階と、
をさらに含む、請求項１２に記載のシステム情報更新方法。
【請求項１６】
無線接続システムにおいて基地局がブロードキャストするシステム情報を更新する方法であって、
任意の制御区間の開始時点で、複数のグループに分類されたシステム情報のインデックスを含むチャネル記述伝送制御情報を受信する段階と、
前記制御区間で、前記インデックスによる伝送時点に、該当のグループのシステム情報を該当のグループの設定変更カウントと一緒に受信する段階と、
前記設定変更カウントが、端末に保存された該当のグループの設定変更カウントと異なると、現在システム情報を前記受信したシステム情報に更新する段階と、
を含む、システム情報更新方法。
【発明の詳細な説明】
【技術分野】
【０００１】
本発明は、端末のネットワーク進入及び初期化に係り、より具体的には、端末のシステム情報の更新にかかる時間を減らすためのシステム情報伝送及び更新方法に関するものである。
【背景技術】
【０００２】
広帯域無線接続システムにおいて端末のネットワーク進入及び初期化過程は、端末の電源をつけたり、端末が自身のセルを逃がしたり新しいセルに移動する度に端末により行われる。
【０００３】
図１は、ネットワーク進入及び初期化（Ｎｅｔｗｏｒｋ  ｅｎｔｒｙ  ａｎｄ  ｉｎｉｔｉａｌｉｚａｔｉｏｎ）過程の概略を示すフローチャートである。
【０００４】
まず、端末がダウンリンクチャネルをスキャンして、基地局との同期を設定する（Ｓ１１０）。この過程は、基地局から受信されるプリアンブル（Ｐｒｅａｍｂｌｅ）、ダウンリンクＭＡＰ（ＤＬ−ＭＡＰ）及びＤＣＤメッセージなどを用いて行われる。
【０００５】
基地局との同期設定が完了すると、ＵＣＤメッセージからアップリンクパラメータを獲得する（Ｓ１２０）。
【０００６】
続いて、端末は、レンジングを行い、自動調節（Ａｕｔｏｍａｔｉｃ  ａｄｊｕｓｔｍｅｎｔｓ）過程を行う（Ｓ１３０）。
【０００７】
次に、端末は、基地局と基本性能交渉を行う（Ｓ１４０）。
【０００８】
基本性能交渉が完了すると、基地局は、加入者端末（ｓｕｂｓｃｒｉｂｅｒ  ｓｔａｔｉｏｎ：ＳＳ）を認証し、キー交換を行う（Ｓ１５０）。この過程（Ｓ１５０）は、基地局と端末とが認可政策を支援する場合にのみ行うことができるもので、必須の過程ではない。
【０００９】
次に、端末は、基地局に登録手順を行う（Ｓ１６０）。
【００１０】
その後、ＩＰ連結設定（Ｓ１７０）、時刻（ｔｉｍｅ  ｏｆ  ｄａｙ）設定（Ｓ１８０）、動作パラメータ伝送（Ｓ１９０）などの過程を、端末及び基地局の支援有無及び端末の選択によって行うことができる。
【００１１】
図２は、端末のダウンリンク同期化過程を示すフローチャートである。
【００１２】
図２は、ネットワーク進入及び初期化過程において最初の過程である基地局とのダウンリンク同期化過程（Ｓ１１０）の細部的な流れを示している。
【００１３】
まず、端末は、任意のチャネル（例えば、ｉ番目のチャネル）からプリアンブルを検索し（Ｓ２１０）、有効のダウンリンク信号を発見するまでプリアンブルを感知し始める（Ｓ２２０）。
【００１４】
プリアンブルが感知されると（Ｓ２２０）、感知されたプリアンブルを用いて周波数及び時間などの物理的同期を合わせる。また、端末がＤＬ−ＭＡＰメッセージを受信すると（Ｓ２３０）、Ｔ１、Ｔ１２タイマーを起動し（Ｓ２４０、Ｓ２５０）、ＭＡＣ同期を設定する（Ｓ２６０）。ここで、Ｔ１はＤＣＤメッセージ受信タイマーを意味し、Ｔ１２タイマーは、ＵＣＤメッセージの受信タイマーを意味する。
【００１５】
一方、端末がプリアンブルを感知できないか、または、ＤＬ−ＭＡＰを受信できないと、次のチャネルに移動し（Ｓ２３５）、プリアンブルを検索する過程（Ｓ２１０）を反復する。
【００１６】
図３は、図２のダウンリンク同期化を維持するための過程を示すフローチャートである。
【００１７】
まず、端末は、ＤＬ−ＭＡＰとＤＣＤメッセージをそれぞれｔｈｅ  Ｌｏｓｔ  ＤＬ−ＭＡＰ  ＩｎｔｅｒｖａｌとＴ１内に成功的に受信すると（Ｓ３１０）、ダウンリンク同期を維持し、該当のタイマーを初期化する（Ｓ３２０）。ここで、Ｔ１は、数学式１のように表すことができる。
【００１８】
（数１）
Ｔ１  ＝  ５  ×  ＤＣＤ  ｉｎｔｅｒｖａｌ  ｍａｘｉｍｕｍ  ｖａｌｕｅ
ここで、ＤＣＤ  ｉｎｔｅｒｖａｌ  ｍａｘｉｍｕｍ  ｖａｌｕｅは、１０秒と定義することができる。この時、それぞれのメッセージと関連したタイマーが終わるまで、該当のメッセージを一つも受信できなかった場合、端末は、新しいダウンリンク信号を探索し始める（Ｓ３３０）。
【００１９】
図４は、端末が、アップリンク関連パラメータを獲得する過程を示すフローチャートである。
【００２０】
図４は、図１に示すネットワーク進入及び初期化過程のうち、２番目の過程であるアップリンクと関連したパラメータを受信する過程（Ｓ１２０）の細部的な流れを示す。
【００２１】
まず、端末は、基地局とのダウンリンク同期を設定した後（Ｓ４１０）、アップリンクと関連した情報を得るためにＵＣＤメッセージを待つ。
【００２２】
タイマーＴ１２が終了するまでＵＣＤメッセージを受信できなかったり、ＵＣＤメッセージを受信したものの該当の情報が自身に適していないと、端末は、ネットワーク進入及び初期化の最初の過程、すなわち、ダウンリンクチャネル検索過程（Ｓ４８０）を再び試みる。ここで、Ｔ１２は、数学式２のように表すことができる。
【００２３】
（数２）
Ｔ１２  ＝  ５  ×  ＵＣＤ  ｉｎｔｅｒｖａｌ  ｍａｘｉｍｕｍ  ｖａｌｕｅ
ここで、ＵＣＤ  ｉｎｔｅｒｖａｌ  ｍａｘｉｍｕｍ  ｖａｌｕｅは１０秒と定義することができる。
【００２４】
Ｔ１２が終了する前に端末がＵＣＤメッセージを受信すると（Ｓ４２０）、端末は、選択されたチャネルに対するＵＬ−ＭＡＰメッセージを待つ。この時、アップリンクチャネルが使用可能であると（Ｓ４３０）、アップリンクパラメータを獲得し（Ｓ４４０）、Ｔ１２をリセットした後（Ｓ４５０）、アップリンク情報を維持する（Ｓ４７０）。
【００２５】
図５は、図４のアップリンク関連パラメータを維持するための過程を示すフローチャートである。
【００２６】
まず、端末がＵＬ−ＭＡＰ及びＵＣＤメッセージを、与えられた時間、すなわち、それぞれｔｈｅ  Ｌｏｓｔ  ＵＬ−ＭＡＰ  ＩｎｔｅｒｖａｌとＴ１２内に成功的に受信すると（Ｓ５１０）、有効なアップリンク情報を維持し、該当のタイマーをリセットする（Ｓ５２０）。
【００２７】
一方、それぞれのメッセージと関連したタイマーが終わるまで該当のメッセージを一つも受信できなかった場合、端末は、アップリンク関連情報が有効でないと判断して、アップリンクチャネルパラメータを削除する（Ｓ５３０）。
【００２８】
その後、端末は、新しいダウンリンク信号を探索し始める（Ｓ５４０）。
【００２９】
図６は、従来のネットワーク進入及び初期化過程を示す信号流れ図である。
【００３０】
より具体的に、図６は、端末がレンジングを行う前の段階を行う過程で発生するメッセージの流れを示す。ここで、ＤＬ−ＭＡＰとＵＬ−ＭＡＰは、フレーム存続区間を２０ｍｓとして毎フレームごとに伝送されると仮定する。また、ＤＣＤとＵＣＤの伝送間隔は、従来に定義されている最大値である１０ｓと仮定する。
【００３１】
基地局は、プリアンブル、ＤＬ−ＭＡＰ、ＵＬ−ＭＡＰを２０ｍｓごとに伝送する（Ｓ６０１、Ｓ６０２）。端末は、自身の電源が入った後（Ｓ６０３）、プリアンブル以外のメッセージを受信してもそれを認識することができない（Ｓ６０４）。
【００３２】
端末は、プリアンブルとＤＬ−ＭＡＰを受信して始めて（Ｓ６０５）同期状態になり（Ｓ６０６）、基地局から伝送されるＤＣＤメッセージを待つ。その間に基地局からＵＣＤメッセージが先に受信されても（Ｓ６０７）、端末はＤＣＤメッセージの受信を待つ。端末がＤＣＤメッセージを受信（Ｓ６０８）して、ダウンリンクと関連したパラメータを得た後（Ｓ６０９）、端末は、基地局から伝送されるＵＣＤメッセージを待つ。
【００３３】
その後、端末がＵＣＤメッセージを受信（Ｓ６１０）して、アップリンクと関連したパラメータを得た後（Ｓ６１１）、初期レンジングのために割り当てられたリソースの情報を待つ。
【００３４】
端末がＵＬ−ＭＡＰ等を通じてこのようなリソース情報を得ると（Ｓ６１３、Ｓ６１４）、端末は、初期レンジング手順に従ってＣＤＭＡコードを伝送する（Ｓ６１５）。
【００３５】
既存の端末は、レンジングを行うためにプリアンブル、ＤＬ−ＭＡＰ、ＤＣＤ、ＵＣＤ、ＵＬ−ＭＡＰ順に読まなければならない。ＤＣＤとＵＣＤとの伝送間隔が最大１０ｓである点を勘案すると、このような方式は、端末のネットワーク進入及び初期化過程を行うのにかかる時間側面では非効率的であるといえる。
【００３６】
図７Ａは、従来のＵＣＤの更新過程を示す図である。
【００３７】
ここで、ＵＬ−ＭＡＰは、フレーム存続区間を２０ｍｓとして毎フレームごとに伝送され、ＵＣＤ伝送間隔は、‘８０２．１６  Ｒｅｖ２、１０章、Ｇｌｏｂａｌ  ｖａｌｕｅｓ’に定義されている最大値である１０ｓと仮定する。なお、端末は、既に、設定変更カウントがｉであるＵＣＤを受信して保存している状態である。
【００３８】
基地局は、ＵＣＤカウントがｉであるＵＬ−ＭＡＰを２０ｍｓごとに伝送する（Ｓ７０１、Ｓ７０２）。基地局は、ＵＣＤメッセージを伝送する時点に、設定変更カウントがｉであるＵＣＤメッセージを伝送する（Ｓ７０３）。このメッセージを受信した端末は、該メッセージをデコーディングした後、自身の持っているＵＣＤと新しく受信したＵＣＤの設定変更カウントを比較し、両者が同一であると、新しく受信したメッセージ内のシステム情報を無視する（Ｓ７０４）。基地局は、引き続き、ＵＣＤカウントがｉであるＵＬ−ＭＡＰを２０ｍｓごとに伝送する（Ｓ７０５）。
【００３９】
もし、システム情報が変更された場合（Ｓ７０６）、基地局は、設定変更カウント（ｉ＋１）及び変更されたＵＣＤメッセージを、該当の伝送時点に伝送する（Ｓ７０７）。このような設定変更カウント（ｉ＋１）及び変更されたＵＣＤメッセージを受信した端末は、該メッセージをデコーディングした後、自身の持っているＵＣＤと新しく受信したＵＣＤの設定変更カウントとを比較し、両者が相異なると、新しく受信したメッセージ内のシステム情報をデコーディングした後、これを保存する（Ｓ７０８）。
【００４０】
このようにＵＣＤの設定変更カウントが変更されても、この変更されたシステム情報の適用は、所定時間の後に行われる。すなわち、基地局は、引き続き、ＵＣＤカウントがｉであるＵＬ−ＭＡＰを２０ｍｓごとに伝送することができる（Ｓ７０９、Ｓ７１０）。基地局は、先に伝送したＵＣＤメッセージを該当の伝送時点に再伝送し、ＵＣＤ転移区間（ＵＣＤ  ｔｒａｎｓｉｔｉｏｎ  ｉｎｔｅｒｖａｌ）タイマーを起動する（Ｓ７１１）。このタイマーが終了すると、基地局は、ＵＣＤカウントがｉ＋１であるＵＬ−ＭＡＰを伝送する（Ｓ７１２）。このメッセージを受信して始めて端末は既存のＵＣＤシステム情報を削除し、新しいＵＣＤシステム情報を適用することができる（Ｓ７１３）。
【００４１】
上記の通り、基地局は、システム情報を一つのメッセージとして長い間隔ごとに伝送する。このような方式は、端末が、システム情報が更新されたか否かを把握するためにメッセージを毎度デコーディングしなければならず、更新する必要のないシステム情報まで保存及び更新しなければならない。また、端末が変更されたシステム情報を適用するまでかかる時間が増加することもある。
【発明の概要】
【発明が解決しようとする課題】
【００４２】
したがって、本発明が達成しようとする第一の技術的課題は、無線接続システムにおいて基地局が端末にブロードキャストするシステム情報を一度に伝送せずに、システム情報を特定基準に基づいて分類してそれぞれ異なる周期パターンでブロードキャストすることによって、端末のシステム情報更新にかかる時間を短縮できるシステム情報伝送方法を提供することにある。
【００４３】
本発明が達成しようとする第二の技術的課題は、基地局で分類されたシステム情報グループに対する伝送時点、伝送グループ、設定変更カウントなどのような制御情報を事前に端末が受信することによって、端末が、変更されたシステム情報の属するグループのみを更新することができ、よく変更されるシステム情報をより早く適用できるシステム情報更新方法を提供することにある。
【課題を解決するための手段】
【００４４】
上記の第一の技術的課題を達成するために、本発明の一実施例によるシステム情報伝送方法は、任意の制御区間の開始時点で、複数のグループに分類されたシステム情報のインデックスを含むチャネル記述伝送制御情報を端末に伝送し、前記制御区間で前記インデックスによる伝送時点に、該当のグループのシステム情報を前記端末に伝送する過程を含む。
【００４５】
好ましくは、本発明の一実施例によるシステム情報伝送方法は、前記制御区間で特定グループのシステム情報が変更されると、次の制御区間で設定変更カウントを増加させ、前記設定変更カウントを含むチャネル記述伝送制御情報を前記端末に伝送し、前記次の制御区間で前記特定グループのシステム情報を前記端末に伝送する過程をさらに含むことができる。
【００４６】
好ましくは、前記複数のグループに分類されたシステム情報は、該当のグループのグループタイプ、設定変更カウントまたは変更ビットのうち少なくとも一つを含むことができる。
【００４７】
好ましくは、前記複数のグループに分類されたシステム情報は、伝送頻度数によって二つ以上のグループに分類された情報でありうる。
【００４８】
好ましくは、前記複数のグループは、最も多い伝送頻度のグループが初期レンジングコード、レンジングコードグループの開始点または初期レンジングバックオフ開始点のうち少なくとも一つで構成される初期レンジング関連情報及び伝送電力関連情報を含むことができる。
【００４９】
好ましくは、本発明の一実施例によるシステム情報伝送方法は、前記基地局が前記設定変更カウントを含むＭＡＰメッセージをブロードキャストする過程をさらに含むことができる。
【００５０】
また、上記第一の技術的課題を達成するために、本発明の他の実施例によるシステム情報伝送方法は、任意の制御区間の開始時点で、複数のグループに分類されたシステム情報のインデックスを含むチャネル記述伝送制御情報を端末に伝送し、前記制御区間で前記インデックスによる伝送時点に、該当のグループのシステム情報を該当のグループの設定変更カウントと一緒に前記端末に伝送する過程を含む。
【００５１】
好ましくは、本発明の他の実施例によるシステム情報伝送方法は、前記制御区間で特定グループのシステム情報が変更されると、次の制御区間で、システム情報が変更されたグループの設定変更カウントを増加させて、前記次の制御区間で、前記特定グループのシステム情報を、前記増加された設定変更カウントと一緒に前記端末に伝送する過程をさらに含むことができる。
【００５２】
好ましくは、本発明の他の実施例によるシステム情報伝送方法は、前記基地局が各グループの設定変更カウントを含むＭＡＰメッセージをブロードキャストする過程をさらに含むことができる。
【００５３】
好ましくは、本発明の他の実施例によるシステム情報伝送方法は、前記基地局が、各グループの設定変更カウントを含む隣接基地局公示（ＭＯＢ−ＮＢＲ−ＡＤＶ）メッセージをブロードキャストする過程をさらに含むことができる。
【００５４】
一方、上記第二の技術的課題を達成するために、本発明の一実施例によるシステム情報更新方法は、任意の制御区間の開始時点で、複数のグループに分類されたシステム情報のインデックス及び設定変更カウントを含むチャネル記述伝送制御情報を受信し、前記制御区間で前記インデックスによる伝送時点に、該当のグループのシステム情報を受信し、前記設定変更カウントが、端末に保存された設定変更カウントと異なると、前記受信したシステム情報をデコーディングし、該情報で現在システム情報を更新する過程を含む。
【００５５】
好ましくは、前記複数のグループに分類されたシステム情報は、該当のグループのグループタイプ、設定変更カウントまたは変更ビットのうち少なくとも一つを含むことができる。
【００５６】
好ましくは、現在システム情報を更新する過程で、前記受信されたシステム情報に含まれた変更ビットが変更状態に設定されたシステム情報で現在システム情報を更新することができる。
【００５７】
好ましくは、本発明の一実施例によるシステム情報更新方法は、前記制御区間で特定グループのシステム情報が変更されると、次の制御区間で、前記設定変更カウントが増加されたチャネル記述伝送制御情報を受信し、前記次の制御区間で、前記特定グループのシステム情報を受信する過程をさらに含むことができる。
【００５８】
また、上記第二の技術的課題を達成するために、本発明の他の実施例によるシステム情報更新方法は、任意の制御区間の開始時点で、複数のグループに分類されたシステム情報のインデックスを含むチャネル記述伝送制御情報を受信し、前記制御区間で前記インデックスによる伝送時点に、該当のグループのシステム情報を、該当グループの設定変更カウントと一緒に受信し、前記設定変更カウントが、端末に保存された該当のグループの設定変更カウントと異なると、前記受信されたシステム情報で現在システム情報を更新する過程を含む。
【発明の効果】
【００５９】
本発明の実施の形態によれば、基地局で分類されたシステム情報を非周期的にスケジューリングすることができ、システム情報の更新時間を短縮させることができ、端末のネットワーク進入及び初期化にかかる時間を減らすことができ、システム側面において初期レンジングの試みに対する分散効果を得ることができる。
【図面の簡単な説明】
【００６０】
【図１】ネットワーク進入及び初期化過程の概略を示すフローチャートである。
【図２】端末のダウンリンク同期化過程を示すフローチャートである。
【図３】図２のダウンリンク同期化を維持するための過程を示すフローチャートである。
【図４】端末がアップリンク関連パラメータを獲得する過程を示すフローチャートである。
【図５】図４のアップリンク関連パラメータを維持するための過程を示すフローチャートである。
【図６】従来のネットワーク進入及び初期化過程を示す信号流れ図である。
【図７Ａ】従来のＵＣＤの更新過程を示す図である。
【図７Ｂ】ブロードキャストメッセージスケジューリングを行った一例を示す図である。
【図８】本発明の一実施例によるシステム情報伝送方法を示すフローチャートである。
【図９】図８によるシステム情報の非周期的なスケジューリングの例を示す図である。
【図１０】図８でシステム情報が変更された場合におけるシステム情報伝送方法を示すフローチャートである。
【図１１】図１０によって変更されたシステム情報がスケジューリングに反映される例を示す図である。
【図１２】本発明の一実施例によるシステム情報更新方法を示すフローチャートである。
【図１３】本発明の一実施例による高い反復グループのシステム情報のスケジューリングの例を示す図である。
【図１４】現在制御周期内でシステム情報が変更された場合、本発明の一実施例による高い反復グループのシステム情報のスケジューリングの例を示す図である。
【図１５】現在制御周期内でシステム情報が変更された場合、本発明の一実施例による高い反復グループ及び中間反復グループのシステム情報のスケジューリングの例を示す図である。
【図１６】上位層フレーム構造で本発明の一実施例による高い反復グループのシステム情報のスケジューリングの例を示す図である。
【図１７】上位層フレーム構造で各グループが独立した設定変更カウントを持っている時、本発明の他の実施例による高い反復グループのシステム情報のスケジューリングの例を示す図である。
【図１８】全グループが一つの設定変更カウントを有し、変更されたシステム情報を伝送する時点で直ちに該当のセルに適用する例を示す図である。
【図１９】各システムグループが独立した設定変更カウントを有し、変更されたシステム情報を伝送する時点で直ちに該当のセルに適用する例を示す図である。
【図２０】ＰＢＣＨ及びＳＢＣＨを通じて伝送されない付加システム情報の伝送に関する制御情報を、ＰＢＣＨを通じて伝送する例を示す図である。
【図２１】ＰＢＣＨ及びＳＢＣＨを通じて伝送されない付加システム情報の伝送に関する制御情報を、ＳＢＣＨを通じて伝送する例を示す図である。
【発明を実施するための形態】
【００６１】
以下、図面を参照しつつ本発明の好適な実施例について説明する。ただし、以下に例示する本発明の実施例は様々な別の形態に変形可能であり、これらの実施例に本発明の範囲が限定されることはない。
【００６２】
本発明の実施の形態は、ＤＣＤあるいはＵＣＤメッセージ内に存在するシステム情報を特定基準に基づいて分類し、分類された情報をブロードキャストする方法を含む。
【００６３】
一例として、基地局は、伝送すべきシステム情報の伝送頻度数と該当情報の特性などを考慮して、ＤＣＤあるいはＵＣＤ内のシステム情報を、高い反復グループ（Ｈｉｇｈ  Ｒｅｐｅｔｉｔｉｏｎ  Ｇｒｏｕｐ；以下、‘ＨＲＧ’という。）、中間反復グループ（Ｍｉｄｄｌｅ  Ｒｅｐｅｔｉｔｉｏｎ  Ｇｒｏｕｐ；以下、‘ＭＲＧ’という。）、低い反復グループ（Ｌｏｗ  Ｒｅｐｅｔｉｔｉｏｎ  Ｇｒｏｕｐ；以下、‘ＬＲＧ’という。）などに分類することができる。なお、場合によって、ＤＬ−ＭＡＰ及び／またはＵＬ−ＭＡＰに存在するシステム情報も同様、ＤＣＤ及び／またはＵＣＤ内のシステム情報と一緒にグルーピングして伝送することができる。
【００６４】
例えば、ＤＣＤシステム情報のうち、高い反復グループ（ＨＲＧ）に属する情報（ＨＲＧＤＣＤ）は、ＴＴＧ、ＲＴＧ、ＥＩＲｘＰＩＲ、ｍａｘなどと一部のダウンリンクバーストプロファイル（Ｄｏｗｎｌｉｎｋ  ｂｕｒｓｔ  ｐｒｏｆｉｌｅ）を含むことができる。ＵＣＤシステム情報のうち、高い反復グループ（ＨＲＧ）に属する情報（ＨＲＧＵＣＤ）は、初期レンジングを行うために必要な初期レンジングコード（Ｉｎｉｔｉａｌ  ｒａｎｇｉｎｇ  ｃｏｄｅｓ）、レンジングコードグループの開始点（Ｓｔａｒｔ  ｏｆ  ｒａｎｇｉｎｇ  ｃｏｄｅｓ  ｇｒｏｕｐ）、初期レンジングバックオフ開始点（Ｉｎｉｔｉａｌ＿ｒａｎｇｉｎｇ＿ｂａｃｋｏｆｆ＿ｓｔａｒｔ）などの初期レンジング情報を含むことができる。また、ＵＣＤシステム情報のうち、高い反復グループ（ＨＲＧ）に属する情報（ＨＲＧＵＣＤ）は、伝送電力を制御するために必要な端末特定上り電力オフセット調節段階（ＭＳ−ｓｐｅｃｉｆｉｃ  ｕｐ  ｐｏｗｅｒ  ｏｆｆｓｅｔ  ａｄｊｕｓｔｍｅｎｔ  ｓｔｅｐ）、端末特定下り電力オフセット調節段階（ＭＳ−ｓｐｅｃｉｆｉｃ  ｄｏｗｎ  ｐｏｗｅｒ  ｏｆｆｓｅｔ  ａｄｊｕｓｔｍｅｎｔ  ｓｔｅｐ）、電力オフセット調節の最小レベル（Ｍｉｎｉｍｕｍ  ｌｅｖｅｌ  ｏｆ  ｐｏｗｅｒ  ｏｆｆｓｅｔ  ａｄｊｕｓｔｍｅｎｔ）などの伝送電力関連情報と一部のアップリンクバーストプロファイル（Ｕｐｌｉｎｋ  ｂｕｒｓｔ  ｐｒｏｆｉｌｅ）を含むことができる。
【００６５】
下記の表１乃至表３は、本発明の一実施の形態によってダウンリンクシステム情報をそれぞれの伝送頻度数によってＨＲＧ、ＭＲＧ及びＬＲＧに分類する場合、各グループに含まれる情報の例を順次に表す。
【００６６】
【表１】
2011510537.tif 000003
【００６７】
【表２】
2011510537.tif 000004
【００６８】
【表３】
2011510537.tif 000005
次に、下記の表４乃至表６は、本発明の一実施の形態によってアップリンクシステム情報をそれぞれの伝送頻度数によってＨＲＧ、ＭＲＧ及びＬＲＧに分類する場合、各グループに含まれる情報の例を順次に表す。
【００６９】
【表４−１】
2011510537.tif 000006
【００７０】
【表４−２】
2011510537.tif 000007
【００７１】
【表５】
2011510537.tif 000008
【００７２】
【表６】
2011510537.tif 000009
上記の表１乃至表６に表すシステム情報のグルーピングは、例示的なものであり、その他の組み合わせも可能である。また、各表において一部情報は省略可能である。
【００７３】
一方、中間反復グループに属するＤＣＤあるいはＵＣＤのシステム情報は、高い反復グループの伝送のために既に占められているリソースを用いて伝送することができる。
【００７４】
低い反復グループに属するＤＣＤあるいはＵＣＤのシステム情報も同様、高い反復グループの伝送のために既に占められているリソースを用いて伝送することができる。この時、ＤＣＤあるいはＵＣＤ伝送間隔の間に、低い反復グループの伝送回数は１に設定することができる。
【００７５】
システム情報をＨＲＧ、ＭＲＧ及びＬＲＧの３グループに分類した場合、ＤＣＤあるいはＵＣＤ伝送間隔の間に各グループの伝送回数（Ｃｏｕｎｔ）は、数学式３のような条件を満たすことが好ましい。
【００７６】
（数３）
Ｃｏｕｎｔ  ＨＲＧ＞Ｃｏｕｎｔ  ＭＲＧ＞Ｃｏｕｎｔ  ＬＲＧ
最後に、割り当てられた伝送回数によって各グループのシステム情報を伝送する伝送時点を決定することができる。
【００７７】
上記の例では、伝送するシステム情報を伝送頻度数によって分類してグルーピングする方式を説明したが、その他の基準によって伝送するシステム情報をグルーピングすることもできる。また、用いられるグループの個数も３つに限定する必要はなく、システムの状況に応じて様々に設定可能である。
【００７８】
このように分類されたシステム情報は、ＭＡＰメッセージを用いてブロードキャストすることができる。この時、グループ情報は、上記の通り、端末のネットワーク進入と初期化のための制御情報及びバーストプロファイルなどのシステム情報を一つ以上のグループに分類した結果に関する情報である。
【００７９】
システム情報をＨＲＧ、ＭＲＧ及びＬＲＧの３グループに分類した場合、高い反復グループに属するＤＣＤあるいはＵＣＤのシステム情報はそれぞれ、下記の数学式４と数学式５により計算された値が０であるフレームごとに伝送するようにスケジューリングすることができる。この時、ＤＣＤ  Ｈｉｇｈ  Ｒｅｐｅａｔ  ＩｎｔｅｒｖａｌとＵＣＤ  Ｈｉｇｈ  Ｒｅｐｅａｔ  Ｉｎｔｅｒｖａｌは、フレーム存続区間によってフレーム単位の値とそれぞれ定義することができる。
【００８０】
（数４）
ＨＲＧＤＣＤ  ＝  （Ｆｒａｍｅ  Ｎｕｍｂｅｒ）  ｍｏｄ  （ＤＣＤ  Ｈｉｇｈ  Ｒｅｐｅａｔ  Ｉｎｔｅｒｖａｌ）
（数５）
ＨＲＧＵＣＤ  ＝  （Ｆｒａｍｅ  Ｎｕｍｂｅｒ）  ｍｏｄ  （ＵＣＤ  Ｈｉｇｈ  Ｒｅｐｅａｔ  Ｉｎｔｅｒｖａｌ）
上記の数学式４及び５で、“ｍｏｄ”は、モジューロ演算子を表す。
【００８１】
システム情報をＭＡＰメッセージを用いて伝送する場合、ＤＣＤのシステム情報は、ダウンリンク区間使用コード（ＤＩＵＣ）１４の拡張−２（Ｅｘｔｅｎｄｅｄ−２）ＤＩＵＣ留保領域、すなわち、０ｘ０Ｆに含まれることができる。また、このようなシステム情報は、情報要素の形態でＭＡＰに含まれ、これを、表７に表すダウンリンクチャネル情報の情報要素（ＤＬ  ｃｈａｎｎｅｌ  ｉｎｆｏｒｍａｔｉｏｎ  ＩＥ）と定義する。
【００８２】
【表７】
2011510537.tif 000010
システム情報をＭＡＰメッセージを用いて伝送する場合、ＵＣＤのシステム情報は、アップリンク区間使用コード（ＵＩＵＣ）１１の拡張−２（Ｅｘｔｅｎｄｅｄ−２）ＵＩＵＣ留保領域、すなわち、０ｘ０Ｄに含まれることができる。また、このようなシステム情報は、情報要素の形態でＭＡＰに含まれ、これを、表８に表すアップリンクチャネル情報の情報要素（ＵＬ  ｃｈａｎｎｅｌ  ｉｎｆｏｒｍａｔｉｏｎ  ＩＥ）と定義する。
【００８３】
【表８】
2011510537.tif 000011
拡張−２  ＤＩＵＣあるいは拡張−２  ＵＩＵＣを認識できない端末は、このような情報を無視し、既存方式の通りにしてＤＣＤあるいはＵＣＤを受信した後、レンジングを行えば良い。すなわち、基地局は、既存端末との互換性を保障するためにＤＣＤあるいはＵＣＤを既存方式の通りに伝送することができる。
【００８４】
一方、上記のように分類されたシステム情報を、ダウンリンクバースト（ｂｕｒｓｔ）を用いてブロードキャストすることもできる。
【００８５】
図７Ｂは、ブロードキャストメッセージスケジューリングを行った一例を示す図である。
【００８６】
ＤＣＤあるいはＵＣＤ伝送間隔（ＤＣＤ／ＵＣＤ  Ｉｎｔｅｒｖａｌ）の間に伝送されるシステム情報は、全グループのシステム情報の１セット（すなわち、ＨＲＧ、ＭＲＧ及びＬＲＧの１セット）と、高い反復グループ（ＨＲＧ）及び中間反復グループ（ＭＲＧ）に属する追加的なシステム情報である。したがってネットワーク進入及び初期化過程で用いられるＴ１、Ｔ１２と関連したダウンリンク同期化及びアップリンクパラメータ維持手順は同一にして行うことができる。
【００８７】
図７Ｂは、ＤＣＤあるいはＵＣＤシステム情報の配置例を示している。ここで、ＤＬ−ＭＡＰとＵＬ−ＭＡＰは、フレーム存続区間を２０ｍｓとして毎フレームごとに伝送されると仮定する。また、ＤＣＤあるいはＵＣＤ伝送間隔は、２８０ｍｓとし、高い反復グループの伝送間隔は２フレームとする。最後に、中間反復グループの伝送回数は２とする。
【００８８】
図７Ｂを参照すると、高い反復グループ（ＨＲＧ）に属するシステム情報は、２フレームごとに伝送することができる。しかし、ＤＣＤあるいはＵＣＤ伝送間隔の間に、中間反復グループ（ＭＲＧ）に属するシステム情報を２回伝送し、低い反復グループ（ＬＲＧ）に属するシステム情報を１回伝送することを目的に、高い反復グループ（ＨＲＧ）に属するシステム情報は４回伝送することができる。
【００８９】
本発明の実施例は、端末がシステム情報を更新し適用するのにかかる所要時間を減らすための方法を提供する。
【００９０】
このために、基地局は、複数のグループに分類されたシステム情報に対する伝送時点、伝送されるグループタイプなどに関するチャネル記述伝送制御情報を端末に伝送できる。また、基地局は、伝送されたシステム情報に関する変更有無などの情報をチャネル記述変更情報を通じて端末に伝送することができる。
【００９１】
図８は、本発明の一実施例によるシステム情報伝送方法を示すフローチャートである。
【００９２】
まず、任意の制御区間の開始時点で、基地局は、複数のグループに分類されたシステム情報のインデックスを含むチャネル記述伝送制御情報を、端末に伝送することができる（Ｓ８１０）。端末は、チャネル記述伝送制御情報に含まれた設定変更カウント（Ｃｏｎｆｉｇｕｒａｔｉｏｎ  Ｃｈａｎｇｅ  Ｃｏｕｎｔ）を、システム情報のデコーディング及び保存有無を決定するのに使用することができる。この時、設定変更カウントを全てのシステム情報のグループに共通に適用する場合、設定変更カウントと関連した既存プロセス及びメッセージを変更せずにそのまま使用することができる。
【００９３】
次に、制御区間で、システム情報のインデックスによる各伝送時点に、該当のグループのシステム情報を端末に伝送する（Ｓ８２０）。
【００９４】
また、基地局は、システム情報の更新単位をＭＡＰメッセージ単位ではなく所定制御周期単位に設定することができる。こうすると、毎フレームごとにＤＣＤカウントまたはＵＣＤカウントを伝送することから生じるオーバーヘッドを減らすことができる。
【００９５】
一方、設定変更カウントをシステム情報のグループごとに異なって設定する場合、制御区間でインデックスによる各伝送時点に該当のグループのシステム情報を伝送する時、該当グループの設定変更カウントを共に端末に伝送することができる。
【００９６】
システム情報グループ（ＨＲＧ、ＭＲＧ、ＬＲＧ）に関するチャネル記述伝送制御情報の例は、表９の通りである。
【００９７】
【表９】
2011510537.tif 000012
この時、制御間隔（Ｃｏｎｔｒｏｌ  Ｉｎｔｅｒｖａｌ）内に多数のＭＲＧメッセージが含まれる場合、ＨＲＧと同一の形態で制御情報を伝送する。
【００９８】
表９で、グループタイプは、システム情報が上記のＨＲＧ、ＭＲＧ、ＬＲＧのいずれかに属するかを表す。すなわち、表９では、グループタイプはビットマップ形式であり、３ビットのうち最初のビットが１に設定されるものは、ＨＲＧが該当の制御区間内に伝送されることを、２番目のビットが１に設定されるものは、ＭＲＧが該当の制御区間内に伝送されることを、３番目のビットが１に設定されるものは、ＬＲＧが該当の制御区間内に伝送されることを表すように設定されることができる。したがって、“０００”は、該当の制御区間内にいかなるシステム情報も伝送されないということを表すことができる。
【００９９】
一方、場合によって、上記グループタイプフィールドがビットマップ形式ではなくビット情報によって特定グループタイプ値そのものを表現する方が、ビット最適化（ｂｉｔ  ｏｐｔｉｍｉｚａｔｉｏｎ）の面においてより効率的である場合もある。例えば、該当の制御区間が小さくてその間隔内にシステム情報グループが含まれないか、または、少数のシステム情報グループが含まれる場合、この少数のグループを表すために可能な全てのグループにそれぞれ１ビットを割り当てる代わりに、伝送されるグループを直接ビット情報で表す方がより効率的になり得る。すなわち、３個のシステム情報グループのうち最大１個が該当の制御区間に含まれる場合には、３ビットで構成されたビットマップ形式よりは、２ビットで各グループを直接表現する方式（例えば、０１：ＨＲＧ、１０：ＭＲＧ、１１：ＬＲＧ）がより効率的になり得るわけである。
【０１００】
一方、上記の表９のようにビットマップ形式でグループタイプを表す場合に、多数個のビットが設定されると、ビット順にグループが伝送される。例えば、０番目と２番目のビットが設定されていると、０番目に該当するグループがまず伝送され、２番目に該当するグループがその次に伝送されるように設定することができる。
【０１０１】
続いて、上記の表９で設定変更カウント（Ｃｏｎｆｉｇｕｒａｔｉｏｎ  Ｃｈａｎｇｅ  Ｃｏｕｎｔ）は、一般に、８ビットで構成され、該当の制御情報の変更情報を表す。ただし、本発明の一実施の形態では、ビット最適化のために、上記の設定変更カウントの最下位４ビットを、縮約された設定変更カウント（Ｒｅｄｕｃｅｄ  Ｃｏｎｆｉｇｕｒａｔｉｏｎ  Ｃｈａｎｇｅ  Ｃｏｕｎｔ）として用いることを考慮する。この場合、設定変更カウントをシステム情報のグループごとに異ならせる場合、各グループごとに縮約された設定変更カウントと同一のフィールドが存在することができる。
【０１０２】
次に、インデックスタイプ（ｉｎｄｅｘ  ｔｙｐｅ）は、該当の制御間隔内のフレームの数によって決定することができる。システム情報のインデックスのうち、フレームインデックス（Ｆｒａｍｅ  ｉｎｄｅｘ）は、フレーム数（Ｆｒａｍｅ  ｎｕｍｂｅｒ）を制御間隔の大きさで除算した余りの値であり、システム情報のインデックスのうちビットマップインデックス（Ｂｉｔｍａｐ  ｉｎｄｅｘ）は、フレーム数を制御間隔の大きさで除算した余りの値をビットマップ（ｂｉｔｍａｐ）形式で表現したものである。
【０１０３】
一方、フレームインデックス情報を伝送する場合、上記の表９では、フレームインデックス情報が、単に、システム情報が伝送されるフレームのインデックスを表す例を表しているが、システム情報が伝送される位置は、フレーム単位、サブフレーム単位または一つのスーパーフレーム（ｓｕｐｅｒ  ｆｒａｍｅ）内のサブフレーム制御情報を伝送するチャネル（例えば、ＵＳＣＣＨ（Ｕｎｉｃａｓｔ  Ｓｅｒｖｉｃｅ  Ｃｏｎｔｒｏｌ  Ｃｈａｎｎｅｌ））単位でありうる。このような仮定の下に、システム情報が伝送される時点情報は、全てのグループの伝送位置を知らせることもでき、該当のスーパーフレームにおいて最初に伝送されるグループの伝送位置のみを知らせることもできる。該当のスーパーフレームにおいて最初に伝送されるグループの伝送位置のみを知らせる場合、後続するグループの位置は、端末が個別探索を通じて受信することができる。
【０１０４】
例えば、一つのスーパーフレームに４個のフレームが含まれ、２番目及び４番目のフレームでシステム情報グループ（総伝送グループ数２）が伝送される場合、チャネル記述伝送制御情報では該当のスーパーフレーム中の最初伝送される２番目のフレームのみを知らせ、端末は、２番目のフレームから探索して２番目のフレームで１番目のシステム情報グループを獲得し、４番目のフレームで２番目の（最後の）システム情報グループを獲得することができる。もし、２番目及び３番目のフレームでシステム情報グループ（総伝送グループ数２）が伝送される場合、端末は、２番目のフレームから探索し始め、２番目のフレームで１番目のシステム情報グループを獲得し、３番目のフレームで２番目の（最後の）システム情報グループを獲得することができる。２個のシステムグループを全て獲得したので、端末は４番目のフレームを探索しなくて済む。
【０１０５】
制御間隔が大きい場合には、該当の区間内に多数のシステム情報グループを伝送することができるので、チャネル記述伝送制御情報のためのリソースを先占して制御間隔ごとに伝送することができる。
【０１０６】
一方、制御間隔が小さい場合には、該当の区間内にシステム情報グループが一つも含まれれない場合があるので、流動的にシステム情報グループが伝送される制御区間にのみチャネル記述伝送制御情報が伝送されうるように別の制御メッセージを用いることができる。この時、チャネル記述伝送制御情報を含むか否かを示すフィールドや予約されたコードを用いることができる。
【０１０７】
表１０は、上記チャネル記述伝送制御情報を含むか否かを示すフィールドを用いてチャネル記述伝送制御情報を挿入する例を表す。
【０１０８】
【表１０】
2011510537.tif 000013
表１１は、予約されたコードを用いてチャネル記述伝送制御情報を挿入する例を表す。
【０１０９】
【表１１】
2011510537.tif 000014
以下では、システム情報伝送方法とシステム情報更新方法を、ＵＣＤを取り上げて説明する。
【０１１０】
図９は、図８によるシステム情報の非周期的なスケジューリングの例を示す図である。
【０１１１】
図９の例では、上記のチャネル記述伝送制御情報の一例を、ＵＣＤ伝送制御として示した。このＵＣＤ伝送制御を通じて、基地局は、どのフレームにどのグループが伝送されるかを端末に伝達することができる。したがって、ＨＲＧの伝送周期を固定する必要がない。
【０１１２】
すなわち、基地局がチャネル記述伝送制御情報（ＵＣＤ伝送制御）を端末にまず伝送することによって、流動的にシステム情報の伝送時点を決定することができる。図９で、ＨＲＧに該当するシステム情報は、非周期的にスケジューリングされる。ＨＲＧに該当するシステム情報が変更されたか否かは、ＵＣＤ伝送制御内の（縮約された）設定変更カウント（図示せず）と図９で“Ｃ”で表示された変更ビット（Ｃｈａｎｇｅ  ｂｉｔ）で表す。変更ビットは、該当のグループのシステム情報の変更されたか否かを、“０”と“１”間のトグリング（ｔｏｇｇｌｉｎｇ）方式で表すとする。すなわち、受信端（端末）では、該当の設定変更カウントを通じてシステム情報の変更有無を確認し、変更がある場合、変更ビット（Ｃ）を通じて各グループのデコーディング有無を判断することができる。これについて、以下に詳しく説明する。
【０１１３】
図１０は、図８でシステム情報が変更された場合におけるシステム情報伝送方法を示すフローチャートである。
【０１１４】
まず、任意の制御区間の開始時点で、複数のグループに分類されたシステム情報のインデックスを含むチャネル記述伝送制御情報を、端末に伝送する（Ｓ１０１０）。
【０１１５】
次に、制御区間で該当のシステム情報のインデックスによる伝送時点に、各インデックスに対応するグループのシステム情報を端末に伝送する（Ｓ１０２０）。
【０１１６】
続いて、現在制御区間で特定グループのシステム情報が変更されると（Ｓ１０３０）、次の制御区間で設定変更カウントを増加させ（Ｓ１０４０）、変更されたシステム情報を端末に伝送することができる（Ｓ１０５０）。すなわち、次の制御区間で設定変更カウントを増加させ、設定変更カウントを含むチャネル記述伝送制御情報を端末に伝送した後、チャネル記述伝送制御情報に含まれたインデックスによる伝送時点に、該当のグループの変更されたシステム情報を伝送する。
【０１１７】
一方、現在制御区間で特定グループのシステム情報が変更されなかった場合、次の制御区間で設定変更カウントを維持しながらチャネル記述伝送制御情報を端末に伝送した後、チャネル記述伝送制御情報に含まれたインデックスによる伝送時点に、該当のグループのシステム情報を再伝送する（Ｓ１０６０）。
【０１１８】
表１２は、実際にシステム情報グループが伝送されるフレームで提供されるシステム情報グループに対するチャネル記述変更情報の例を表す。
【０１１９】
【表１２】
2011510537.tif 000015
表１２の情報フォーマットは、１フレームで最大２個のシステム情報グループが存在でき、それぞれはＤＣＤグループとＵＣＤグループのためのものである。この場合、同一フレームに多数個のＤＣＤグループあるいはＵＣＤグループが存在することができない。表１２の情報は、チャネル記述伝送制御情報（Ｃｈａｎｎｅｌ＿Ｄｅｓｃｒｉｐｔｏｒｓ＿Ｔｒａｎｓｍｉｓｓｉｏｎ＿Ｃｏｎｔｒｏｌ＿Ｆｏｒｍａｔ）とは別に伝送することができる。この場合、チャネル記述伝送制御情報を伝送する時、チャネル記述変更情報（Ｃｈａｎｎｅｌ＿Ｄｅｓｃｒｉｐｔｏｒｓ＿Ｃｈａｎｇｅ＿Ｆｏｒｍａｔ）と重複するフィールドの一部を除いて伝送することができる。
【０１２０】
表１３及び図１４は、ダウンリンクチャネル情報の情報要素（ＤＬ  ｃｈａｎｎｅｌ  ｉｎｆｏｒｍａｔｉｏｎ  ＩＥ）とアップリンクチャネル情報の情報要素（ＵＬ  ｃｈａｎｎｅｌ  ｉｎｆｏｒｍａｔｉｏｎ  ＩＥ）の例を示す。
【０１２１】
【表１３】
2011510537.tif 000016
表１３及び表１４のように、既に定義されたダウンリンクチャネル情報の情報要素とアップリンクチャネル情報の情報要素において予約された（ｒｅｓｅｒｖｅｄ）３ビットとエンコーディング（Ｅｎｃｏｄｉｎｇｓ）のためのビットのうちの７ビットを、設定変更カウントとグループタイプとして用いることができる。
【０１２２】
また、ＤＬあるいはＵＬバーストを用いて各システム情報グループを伝送する場合には、設定変更カウントとグループタイプをＴＬＶ形式で追加する。
【０１２３】
図１１は、図１０によって変更されたシステム情報がスケジューリングに反映される例を示す図である。
【０１２４】
図１１で、基地局は、チャネル記述伝送制御情報としてＵＣＤ伝送制御を伝送し、該当のＵＣＤ制御区間内で、グルーピングされたシステム情報（例えば、ＨＲＧ）を、設定変更カウント（例えば、（ｉ）、（ｉ＋１））及びチャネル記述変更情報（Ｃ）と共に伝送する。
【０１２５】
具体的に、図１１は、基地局が特定制御間隔（ＵＣＤ  Ｃｏｎｔｒｏｌ  Ｉｎｔｅｒｖａｌ）内でシステム情報の変更されたグループがある場合、変更された情報を該当のＨＲＧ伝送周期に直ちに反映して伝送せずに、その次の制御間隔で、変更されたグループのシステム情報を伝送する例を示す。すなわち、図１１で、最初ＵＣＤ制御区間内でＨＲＧに該当するシステム情報の変更があっても、該当の変更時点以降のＨＲＧ伝送時点にそれを直ちに適用せずに、次のＵＣＤ制御区間でチャネル記述伝送制御情報、すなわち、ＵＣＤ伝送制御が伝送される時にそれを反映して伝送する例を示している。
【０１２６】
図１２は、本発明の一実施例によって端末でシステム情報を保存する方法を示すフローチャートである。
【０１２７】
まず、任意の制御区間の開始時点で、複数のグループに分類されたシステム情報のインデックスを含むチャネル記述伝送制御情報を受信する（Ｓ１２１０）。この時、チャネル記述伝送制御情報は、設定変更カウントを含むことができる。
【０１２８】
続いて、チャネル記述伝送制御情報の設定変更カウントが、端末に保存された設定変更カウントと異なると（Ｓ１２３０）、現在制御区間でチャネル記述伝送制御情報に含まれたインデックスによる伝送時点に、該当のグループのシステム情報を受信する（Ｓ１２３５）。端末は、この過程（Ｓ１２３５）で、該当のグループのシステム情報を該当のグループの設定変更カウントと一緒に受信することができる。続いて、受信されたシステム情報をデコーディングし保存する（Ｓ１２４０）。一方、基地局が、チャネル記述伝送制御情報とは別にチャネル記述変更情報を端末に伝送する場合、チャネル記述伝送制御情報を読み込みなかった端末は、チャネル記述変更情報を通じてシステム情報保存手順を行うことができる。
【０１２９】
一方、設定変更カウントが、端末に保存された設定変更カウントと同一であると、受信されたシステム情報をデコーディングする必要がない（Ｓ１２５０）。
【０１３０】
より具体的に、制御区間内に複数のそれぞれ異なるグループが伝送され、各グループが設定変更カウントを共通に使用する場合、端末は、自身が持っている設定変更カウントと基地局から受信した設定変更カウントとに１の差があると、変更ビット値によって該当のグループを保存するか否かを決定する。本実施の形態では、上述の通り、変更ビットが該当のグループの変更有無を“０”、“１”間のトグリングを通じて表すとした。これにより、変更ビットは直前の設定変更カウントとの変更有無のみを表すので、端末は、自身が持っている設定変更カウントと基地局から受信した設定変更カウントとに２以上の差が出ると、全てのグループのシステム情報をデコーディングすることが好ましい。一方、端末は、自身が持っている設定変更カウントと基地局から受信した設定変更カウントとが同一であれば、該当の制御間隔内で全てのシステム情報のデコーディング及び保存を行わなくてすむ。
【０１３１】
これにより、端末は、システム情報グループの変更有無を確認するためにＤＣＤまたはＵＣＤグループメッセージを毎度デコーディングする必要がない。端末は、チャネル記述伝送制御情報及び変更情報を用いて、システム情報が変更された場合に、変更されたグループのシステム情報をデコーディングすることができる。端末は、変更されたシステム情報の属するグループのみを保存及び更新するので、端末は、そのためのメモリー及び各フィールドの更新のためのプロセスを減らすことができ、更新速度を向上させることができる。
【０１３２】
図１３は、本発明の一実施例による高い反復グループ（ＨＲＧ）のシステム情報のスケジューリングの例を示す図である。
【０１３３】
図１３は、端末でＨＲＧに属するＵＣＤＨＲＧを更新する例を示す。（ｉ）、（ｉ＋１）などは、設定変更カウントを表す。
【０１３４】
ＨＲＧのシステム情報変更イベントが発生（１３２０）した後、後続するチャネル記述伝送制御情報に該当するＵＣＤ伝送制御（１３３０）では、該当の制御区間（ＵＣＤ制御区間）で伝送される一つのＭＲＧと２個のＨＲＧに対する設定変更カウント及び変更ビット情報に、この変更事項を反映して伝送することができる。すなわち、変更前の設定変更カウントが（ｉ）であり、ＨＲＧ、ＭＲＧ及びＬＲＧに対する変更ビットがいずれも“０”に設定されている場合、全グループに共通している設定変更カウントは、該当のＵＣＤ制御区間で（ｉ＋１）に設定されて伝送され、変更ビットはＨＲＧに対してのみトグリングされて、“１”を表すこととなる。ただし、端末は、変更されたＨＲＧを受信すると同時にこの変更されたシステム情報を適用するのではなく、上記の通り、変更されたシステム情報の適用を表すカウント情報を受信した後に当該変更されたシステム情報を適用する。すなわち、端末は、現在設定変更カウント（ｉ＋１）と同じ適用カウント情報を受信（１３１０）すると、変更されたシステム情報を適用する。
【０１３５】
図１４は、現在制御間隔内でシステム情報が変更された場合、本発明の一実施例による高い反復グループ（ＨＲＧ）のシステム情報のスケジューリングの例を示す図である。
【０１３６】
図１４は、現在ＵＣＤ制御間隔内で変更されたＵＣＤＨＲＧを適用するも前に同一グループの情報がさらに変更された場合に、端末がシステム情報を更新する例を示す。
【０１３７】
具体的に、ＨＲＧシステム情報変更イベントが発生（１４２０）し、後続するＵＣＤ伝送制御（１４３０）では、この変更事項を知らせるように伝送されるシステム情報の設定変更カウントを（ｉ＋１）とし、ＨＲＧに対する変更ビットを“１”にトグリングして表す。このように、ＨＲＧの変更が１回起きた後、変更されたシステム情報適用を知らせるカウント情報がまだ伝送されていない状態で、追加的にＨＲＧシステム情報変更イベントが発生（１４４０）することがある。これにより、後続するＵＣＤ伝送制御（１４５０）では、上記追加的なＨＲＧシステム情報変更によって設定変更カウントを（ｉ＋２）に変更し、ＨＲＧの変更ビットを再び“０”にトグリングする。その後、２回変更されたシステム情報に対応する設定変更カウント（すなわち、（ｉ＋２））を持つ適用カウント情報を受信する場合（１４１０）、端末は、変更されたシステム情報を始めて適用するようになる。
【０１３８】
図１４の例で、１番目及び３番目の制御区間がリスニング（ｌｉｓｔｅｎｉｎｇ）区間であり、２番目の制御区間がスリープ（ｓｌｅｅｐ）区間である端末は、受信されたチャネル記述伝送制御情報の設定変更カウントが、既に保存された設定変更カウントと２以上の差を有する。この場合、変更ビットからは各グループの変更有無を確認し難く、全てのグループに対してデコーディングを試みることが好ましいことがわかる。
【０１３９】
図１５は、現在制御周期内でシステム情報が変更された場合、本発明の一実施例による高い反復グループ（ＨＲＧ）及び中間反復グループ（ＭＲＧ）のシステム情報のスケジューリングの例を示す図である。
【０１４０】
図１５では、制御周期が、図１４の場合よりも短い例を仮定する。したがって、ＭＲＧに属するＵＣＤＭＲＧが変更されて伝送された状態で、周期の短いＵＣＤＨＲＧが変更されるため、これらのシステム情報の適用前に再伝送まで完了することができる。ここで、（ｉ）、（ｉ＋１）、（ｉ＋２）などは、設定変更カウントを表す。この場合、端末は、再伝送進行（ｐｅｎｄｉｎｇ）状態にある別のグループを考慮してシステム情報を更新する。すなわち、ＵＣＤＨＲＧの更新は、ＵＣＤＭＲＧの再伝送とＵＣＤ転移区間（ｔｒａｎｓｉｔｉｏｎ  ｉｎｔｅｒｖａｌ）が終了した後になされる。端末は、現在設定変更カウントと同じ適用カウント情報（１５１０）を受信すると、現在システム情報を更新する。
【０１４１】
図１６は、上位層フレーム構造で本発明の一実施例による高い反復グループのシステム情報のスケジューリングの例を示す図である。
【０１４２】
次世代移動通信システムでは、スーパーフレーム（Ｓｕｐｅｒ  Ｆｒａｍｅ）概念を導入して、制御情報伝送の効率性を図っている。現在まで議論されたスーパーフレーム構造は、１個のスーパーフレーム内に４個のフレームを含み、１個のフレーム内には８個のサブフレームが存在する構造を有する。このような階層的フレーム構造を用いて、以下では、スーパーフレームに対応できる上位層フレーム単位でシステム情報伝送を設定する方法について説明する。
【０１４３】
上位層フレーム構造（ｈｉｇｈｅｒ−ｌａｙｅｒ  ｆｒａｍｅ  ｓｔｒｕｃｔｕｒｅ）を用いたチャネル記述伝送制御情報及びシステム情報の伝送は、上記と同様にして行われる。この例では、チャネル記述変更情報、すなわち、変更ビットを端末に伝送せずに、チャネル記述伝送制御情報のみを伝送することができる。
【０１４４】
ここで、チャネル記述伝送制御情報は、上位層フレーム（ｈｉｇｈｅｒ−ｌａｙｅｒ  ｆｒａｍｅ）の制御情報を伝送するフォーマットで含まれる。すなわち、制御間隔が上位層フレーム、例えば、スーパーフレーム単位となる。
【０１４５】
また、毎フレームごとにＭＡＰメッセージ内にＤＣＤカウントまたはＵＣＤカウントを伝送せずに、上位層フレーム単位でＤＣＤカウントまたはＵＣＤカウントを伝送することができる。したがって、システム情報の更新単位は、上位層フレーム単位となる。これにより、毎フレームごとにＤＣＤカウントまたはＵＣＤカウントを伝送することから発生するオーバーヘッドを減らすことができる。図１６の例では、２番目の上位層フレームまでのＵＣＤカウント（または、ＤＣＤカウント）（ｉ）が３番目の上位層フレームで（ｉ＋１）に増加され、端末は現在のシステム情報を更新する。
【０１４６】
以上の実施例は、ＤＣＤまたはＵＣＤの全てのグループが一つの設定変更カウントで管理及び更新される方式である。本発明は、この方式に限定されず、各グループごとに設定変更カウントを付与してグループ別にシステム情報のバージョンを管理することができ、端末は、システム情報の更新をグループごとに個別に行うことができる。個別のカウントを使用する方式は、システム情報の更新側面においてより効率的で柔軟な方式である。この時、設定変更カウントが含まれて伝送されるＭＡＰメッセージ、隣接基地局公示（ＭＯＢ−ＮＢＲ−ＡＤＶ）メッセージなどは、該当のメッセージの機能によって各グループの設定変更カウントを全て伝送する。例えば、隣接基地局公示メッセージは、隣接基地局に関する情報を伝送するメッセージであるから、各隣接基地局ごとに各グループの設定変更カウントを全て含む。したがって、伝送する隣接基地局数が増加するほど、伝送される設定変更カウントの数は増加する。また、各グループごとに設定変更カウントを付与するか否かによって、チャネル記述伝送制御情報フォーマットに設定変更カウントを各グループ別フィールドのように処理するか、または共通フィールドのように処理するかを決定することができる。
【０１４７】
図１７は、各グループが独立した設定変更カウントを有している時、チャネル記述伝送制御情報を伝送する実施例を示す図である。
【０１４８】
ここではチャネル記述変更情報は伝送されずに、チャネル記述伝送制御情報のみ伝送される。ここで、ＨＲＧ及びＭＲＧ上端の‘０’または‘１’の数字は、変更ビットを表すもので、チャネル記述伝送制御情報を通じてのみ伝送されるが、便宜のために、該当するグループのシステム情報上にそれぞれ表したわけである。
【０１４９】
上記の通り、端末は、チャネル記述伝送制御情報を通じて伝送されるグループ別変更ビットと端末自身が持っている各グループ別変更ビット値とを比較する。この時、チャネル記述伝送制御情報と変更ビットの値とが異なるグループがあれば、端末は、該当のグループのシステム情報が変更されて伝送されたことがわかる。ＨＲＧの設定変更カウント、ＭＲＧの設定変更カウントなどをグループ別設定変更カウントという。
【０１５０】
例えば、図１７で、最初に端末が持っているＨＲＧの設定変更カウントとＤＣＤまたはＵＣＤのカウントはｉで、変更ビットは０であり、ＭＲＧの設定変更カウントとＤＣＤまたはＵＣＤのカウントはｋで、変更ビットは０である。
【０１５１】
特定グループのシステム情報が変更されると、該当するグループ別設定変更カウントのみ増加させる。増加されたグループ別設定変更カウントは、変更されたシステム情報と共に端末に伝送される。
【０１５２】
左側にある最初の伝送制御でＨＲＧの変更ビットは１であり、ＭＲＧの変更ビットは０を表し、最初の伝送制御のＤＣＤまたはＵＣＤカウントはそれぞれ、以前と同様にｉとｋであるから、端末は、ＨＲＧが変更されたことを認識し、該当の変更されたグループ（ＨＲＧ）のみをデコーディングし保存する。以降、基地局は、あらかじめスケジューリングされた順番で、変更されたＨＲＧを再伝送する。一方、３番目の上位層フレームの伝送制御区間で、ＤＣＤまたはＵＣＤのカウントは（ｉ＋１）に増加され、端末は、現在のシステム情報を更新する。
【０１５３】
以下では、上記のスーパーフレーム構造を用いて、本発明によってグルーピングされたシステム情報を伝送するもので、スーパーフレーム内のＰＢＣＨ、ＳＢＣＨなどを用いてシステム情報を伝送する実施の形態について説明する。
【０１５４】
上記の通り、一つのスーパーフレーム内には４個のフレームが含まれ、各フレーム内には８個のサブフレームが含まれる構造を仮定する。この場合、スーパーフレームヘッダーは、ＰＢＣＨ（Ｐｒｉｍａｒｙ  Ｂｒｏａｄｃａｓｔ  Ｃｈａｎｎｅｌ）及びＳＢＣＨ（Ｓｅｃｏｎｄａｒｙ  Ｂｒｏａｄｃａｓｔ  Ｃｈａｎｎｅｌ）で構成されることができる。
【０１５５】
ＰＢＣＨは、毎スーパーフレームごとに伝送されるとする。このＰＢＣＨを通じて基地局は伝送制御情報及び現在適用カウント（ＤＣＤ／ＵＣＤカウント）を伝送することができる。スーパーフレーム構造を用いてシステム情報を伝送する例では、上述したように、システム情報が変更される時点で直ちにそれを適用することができる。このような場合、設定変更カウントは直ちに適用カウントの役割を果たすことができる。
【０１５６】
一方、ＳＢＣＨは、１個以上のスーパーフレームごとに伝送されることができる。このＳＢＣＨを通じて、グルーピングされたそれぞれのシステム情報を伝送することが可能である。
【０１５７】
上記の構造を用いると、ＰＢＣＨは、上記の表３に表したようなチャネル記述伝送制御情報の役割を果たすことができる。ただし、ＳＢＣＨの伝送される位置が固定されている場合、例えば、ＰＢＣＨが伝送されるサブフレームと同じサブフレームを通じてＳＢＣＨが引き続き伝送される場合、グルーピングされたシステム情報伝送のためのフレーム情報は用いられなくて済む。
【０１５８】
可能なＰＢＣＨの一例は、下記の通りである。
【０１５９】
【表１５】
2011510537.tif 000017
上記の表１５で、“グループタイプ”は、上記の表９のように、ビットマップ方式で表す例を示しているが、上記のように、３つのシステム情報グループ伝送及びいかなるシステム情報も伝送されない場合に対して、２ビットのグループタイプ情報を通じてビット値が直接各伝送グループを表すように設定することができる。また、表１５では、変更カウントフィールドとして８ビットが全て用いられる場合を表しており、変更ビット（Ｃ）は、各グループに対するトグルビットをビットマップ方式で表す例を表している。
【０１６０】
このような設定を用いて、以下、本発明の各実施の形態によってシステム情報を伝送する方法について説明する。
【０１６１】
図１８は、全てのグループが一つの設定変更カウントを有し、変更されたシステム情報を伝送する時点で直ちに該当のセルに適用する場合の実施の形態を示す図である。
【０１６２】
図１８の例において、ＨＲＧ伝送区間長は４０ｍｓとし、スーパーフレーム長は２０ｍｓとする。上述の通り、毎スーパーフレームごとにＰＢＣＨが伝送され、２個のスーパーフレームごとに、各グループに該当するシステム情報を含むＳＢＣＨが伝送される例を示している。
【０１６３】
段階Ｓ１８１０で、設定変更カウントｉを有し、ＨＲＧが伝送されるＳＢＣＨに対する制御情報を含むＰＢＣＨが伝送されることができる。この時、変更ビット（または、変更トグルビットマップ）は、０、０、０に設定されて、ＨＲＧ、ＭＲＧ及びＬＲＧのそれぞれに対して初期変更ビットがいずれも０に設定されることを表している。この段階で、ＰＢＣＨと同じサブフレームを通じて、ＨＲＧを伝送するＳＢＣＨが伝送され、このＳＢＣＨは、設定変更カウントｉを有する。
【０１６４】
段階Ｓ１８２０で、伝送されるＰＢＣＨは、グループタイプフィールドに“０００”が含まれて、当該フレームにはシステム情報が伝送されないことを表している。
【０１６５】
段階Ｓ１８３０で、伝送されるＰＢＣＨは、設定変更カウントｉを持つＭＲＧを伝送するＳＢＣＨに対する制御情報を含む。この時、変更トグルビットマップは、未だシステム情報に変化がないため、相変らず０、０、０を表す。図１８に示すように、  ＰＢＣＨと同じフレームを通じて、ＭＲＧを伝送するＳＢＣＨが伝送されることがわかる。
【０１６６】
段階Ｓ１８４０で、伝送されるＰＢＣＨは、グループタイプフィールドに“０００”が含まれ、同様に、該当フレームにはシステム情報が伝送されないことを表している。
【０１６７】
そして、段階Ｓ１８５０では、ＨＲＧに変更がある場合を表している。図１８の例では、システム情報変更がある時点で直ちに変更されたシステム情報の適用がある場合を仮定した。したがって、段階Ｓ１８５０で伝送されるＰＢＣＨでは、設定変更カウントがｉ＋１を表し、変更トグルビットマップがＨＲＧ変更を表すように１、０、０に設定されて伝送され、同一フレームを通じて伝送される設定変更カウントｉ＋１を有するＨＲＧ伝送ＳＢＣＨが伝送され、これは直ちに該当のセル内に適用されることができる。
【０１６８】
図１８では、設定変更カウントが全システム情報グループに同一に適用される場合について説明したが、上述の通り、各システム情報グループ別に設定変更カウントを設定することもできる。
【０１６９】
図１９は、各システムグループが独立した設定変更カウントを有し、変更されたシステム情報を伝送する時点に直ちに該当のセルに適用する実施の形態を示す図である。
【０１７０】
図１９において、ＨＲＧ区間長及びスーパーフレーム長は、図１８のそれと同一にする。毎ＰＢＣＨでＨＲＧ、ＭＲＧ及びＬＲＧに対応する設定変更カウントをｉ、ｋ、ｘなどを用いて伝送するので、別の変更ビットまたは変更トグルビットマップを必要とせず、よって、図１９ではそれを省略して示した。
【０１７１】
図１９で、基本的に、段階Ｓ１９１０乃至Ｓ１９５０の動作は、設定変更カウントが各システム情報グループ別に設定されている点以外は、図１８と同一なので具体的な説明は省略する。段階Ｓ１９５０でＨＲＧに変化がある場合、ＨＲＧに対応する設定変更カウントｉをｉ＋１に変更し、ＭＲＧ及びＬＲＧに対応する設定変更カウントｋ、ｘはそのまま維持することが確認できる。また、図１９の例でも同様、システム情報の変更がある場合、該当のセルに直ちにそれを適用する場合を仮定する。
【０１７２】
一方、システム情報には、上記のＰＢＣＨ及びＳＢＣＨを通じて伝送されない情報（例えば、隣接基地局情報（ｎｅｉｇｈｂｏｒ  ＢＳ  ｉｎｆｏｒｍａｔｉｏｎ）、ページング情報（ｐａｇｉｎｇ  ｉｎｆｏｒｍａｔｉｏｎ）が含まれることがある。本発明の一実施の形態では、このような付加システム情報を、ＰＢＣＨ及びＳＢＣＨが伝送されるフレーム以外の別のフレームを通じて伝送し、この付加システム情報に関する制御情報をＰＢＣＨまたはＳＢＣＨを通じて伝送することを提案する。
【０１７３】
図２０は、ＰＢＣＨ及びＳＢＣＨを通じて伝送されない付加システム情報の伝送に関する制御情報をＰＢＣＨを通じて伝送する実施の形態を説明するための図である。
【０１７４】
ＨＲＧ区間長及びスーパーフレーム長は、図１８及び１９の例と同一にする。ただし、各スーパーフレームごとに伝送されるＰＢＣＨには、グルーピングされたシステム情報を伝送するＳＢＣＨ伝送に関する制御情報の他に、ＰＢＣＨ及びＳＢＣＨを通じて伝送されない付加システム情報伝送に関する制御情報をさらに含むことを示している。
【０１７５】
図２０において、ＳＢＣＨのための制御情報は、図１８及び図１９で上述した情報と同一の形態を有することができる。また、付加システム情報伝送のための制御情報も、ＳＢＣＨ伝送のための制御情報と類似の形態を有することができる。ただし、付加システム情報がＰＢＣＨ及びＳＢＣＨと異なるフレームを通じて伝送されるので、この付加システム情報が伝送されるフレーム情報をさらに含むように設定することができる。
【０１７６】
また、他の実施の形態では、付加システム情報伝送のための制御情報には、設定変更カウント及び変更ビットなどの情報が含まれないように設定することも可能である。付加システム情報は頻繁に発生するのではないので、付加システム情報が伝送される度に端末はこれをデコーディングするように設定する代わりに、付加システム情報の変更有無を表すためのシグナリングオーバーヘッドを減少させることができる。
【０１７７】
図２１は、ＰＢＣＨ及びＳＢＣＨを通じて伝送されない付加システム情報の伝送に関する制御情報を、ＳＢＣＨを通じて伝送する実施の形態を説明するための図である。
【０１７８】
基本的にＰＢＣＨ及びＳＢＣＨを通じて伝送されない付加システム情報を、ＰＢＣＨ及びＳＢＣＨと別のフレームを通じて伝送する点は、図２０の例と同一である。ただし、図２１に示す例では、ＰＢＣＨが、ＳＢＣＨ及び付加システム情報の伝送のための制御情報の両方を含むのではない。すなわち、ＰＢＣＨは、ＳＢＣＨ伝送に関する制御情報のみを含み、ＳＢＣＨで付加システム情報伝送に関する制御情報を伝送することを示している。
【０１７９】
一方、上記の実施の形態において、システム情報は、フレーム単位、サブフレーム単位または一つのスーパーフレーム（ｓｕｐｅｒ  ｆｒａｍｅ）内のサブフレーム制御情報を伝送するチャネル（例えば、ＵＳＣＣＨ（Ｕｎｉｃａｓｔ  Ｓｅｒｖｉｃｅ  Ｃｏｎｔｒｏｌ  Ｃｈａｎｎｅｌ））単位になりうることは、上記の通りである。このような仮定の下に、システム情報が伝送される時点情報は、全グループの伝送位置を知らせることもでき、該当のスーパーフレームにおいて最初に伝送されるグループの伝送位置のみを知らせることもできる。
【０１８０】
また、上記の実施の形態では、システム情報を、伝送頻度数によってＨＲＧ、ＭＲＧ及びＬＲＧにグルーピングして伝送する例を説明したが、システム情報は、様々な数のグループに、様々なシステム情報組み合わせにグルーピングされることもできる。例えば、図１８乃至図２１に示すように、ＳＢＣＨを用いてグルーピングされたシステム情報を伝送する場合、各グループは、サブＳＢＣＨ（ｓｕｂ−ＳＢＣＨ）と称することができる。
【０１８１】
本発明の一実施の形態で、もし、システム情報を６個のサブＳＢＣＨにグルーピングして伝送する場合、ＳＢＣＨ伝送制御情報を含むＰＢＣＨは、下記のように表すことができる。
【０１８２】
【表１６】
2011510537.tif 000018
上記の表１６で、ＰＢＣＨは、上記の表９で“グループタイプ”に該当するフィールドにサブＳＢＣＨスケジューリング情報フィールドを含み、サブＳＢＣＨ１〜６のうち、伝送されるサブＳＢＣＨ情報を表すことができる。また、変更トグルビットマップは、サブＳＢＣＨ１〜４に関する変更情報を表すように設定された例を表している。これは、図２１と関連して上述した例でＳＢＣＨを通じて伝送されるシステム情報が、サブＳＢＣＨ１〜４に対応し、サブＳＢＣＨ５及び６は、図２１の例で付加システム情報のための制御情報に対応すると設定した場合の例を表している。
【０１８３】
各サブＳＢＣＨは、伝送のための基本構成と関連した必須のシステムパラメータ、帯域幅要請及びレンジングと関連したパラメータ、ＤＬ／ＵＬリソース構成及びＵＬ  ＦＦＲ及び電力制御構成関連パラメータ、付加的なシステム情報に関する制御情報などで構成されることができる。
【０１８４】
このうち、付加的なシステム情報の制御情報に対するフォーマットの一例は、下記のように表すことができる。
【０１８５】
【表１７】
2011510537.tif 000019
以上では、添付の図面及び実施例を参照して本発明を説明してきたが、これは例示的なものに過ぎず、当該技術野で通常の知識を有する者には、これらの実施例から様々な変形及変更が可能であるということが理解できる。なお、これらの変形及び変更はいずれも本発明の技術的保護範囲内に含まれる。したがって、本発明の真の技術的保護範囲は、添付の特許請求の範囲による技術的思想により定められるべきである。
【産業上の利用可能性】
【０１８６】
本発明は、無線接続システムにおいて基地局がシステム情報をブロードキャストする方法及び端末のシステム情報更新方法に関するもので、ＩＥＥＥ  ８０２．１６ｅ、ＩＥＥＥ  ８０２．１６ｍなどを支援する基地局、端末などの無線接続関連装置に適用されることができる。
【図１】
2011510537.tif 000020
【図２】
2011510537.tif 000021
【図３】
2011510537.tif 000022
【図４】
2011510537.tif 000023
【図５】
2011510537.tif 000024
【図６】
2011510537.tif 000025
【図７Ａ】
2011510537.tif 000026
【図７Ｂ】
2011510537.tif 000027
【図８】
2011510537.tif 000028
【図９】
2011510537.tif 000029
【図１０】
2011510537.tif 000030
【図１１】
2011510537.tif 000031
【図１２】
2011510537.tif 000032
【図１３】
2011510537.tif 000033
【図１４】
2011510537.tif 000034
【図１５】
2011510537.tif 000035
【図１６】
2011510537.tif 000036
【図１７】
2011510537.tif 000037
【図１８】
2011510537.tif 000038
【図１９】
2011510537.tif 000039
【図２０】
2011510537.tif 000040
【図２１】
2011510537.tif 000041
【手続補正書】
【提出日】平成22年8月13日(2010.8.13)
【手続補正１】
【補正対象書類名】明細書
【補正対象項目名】００５８
【補正方法】変更
【補正の内容】
【００５８】
また、上記第二の技術的課題を達成するために、本発明の他の実施例によるシステム情報更新方法は、任意の制御区間の開始時点で、複数のグループに分類されたシステム情報のインデックスを含むチャネル記述伝送制御情報を受信し、前記制御区間で前記インデックスによる伝送時点に、該当のグループのシステム情報を、該当グループの設定変更カウントと一緒に受信し、前記設定変更カウントが、端末に保存された該当のグループの設定変更カウントと異なると、前記受信されたシステム情報で現在システム情報を更新する過程を含む。
（項目１）
無線接続システムにおいて基地局がシステム情報をブロードキャストする方法であって、
任意の制御区間の開始時点で、複数のグループに分類されたシステム情報のインデックスを含むチャネル記述伝送制御情報を端末に伝送する段階と、
前記制御区間で、前記インデックスによる伝送時点に、該当のグループのシステム情報を前記端末に伝送する段階と、
を含む、システム情報伝送方法。
（項目２）
前記制御区間で特定グループのシステム情報が変更されると、次の制御区間で設定変更カウントを増加させ、該設定変更カウントを含むチャネル記述伝送制御情報を前記端末に伝送する段階と、
前記次の制御区間で、前記特定グループのシステム情報を前記端末に伝送する段階と、
をさらに含む、項目１に記載のシステム情報伝送方法。
（項目３）
前記制御区間で特定グループのシステム情報が変更されると、次の制御区間で、前記特定グループに該当するグループ別設定変更カウントを増加させ、前記変更されたシステム情報及び前記増加されたグループ別設定変更カウントを前記端末に伝送する段階をさらに含む、項目１に記載のシステム情報伝送方法。
（項目４）
前記複数のグループに分類されたシステム情報は、
該当のグループのグループタイプ、設定変更カウント及び変更ビットのうち少なくとも一つを含む、項目１に記載のシステム情報伝送方法。
（項目５）
前記複数のグループに分類されたシステム情報は、
伝送頻度数によって２以上のグループに分類された情報である、項目１に記載のシステム情報伝送方法。
（項目６）
前記複数のグループは、
最も多い伝送頻度のグループが、初期レンジングコード、レンジングコードグループの開始点及び初期レンジングバックオフ開始点のうち少なくとも一つで構成される初期レンジング関連情報と伝送電力関連情報を含む、項目１に記載のシステム情報伝送方法。
（項目７）
前記基地局が、前記設定変更カウントを含むＭＡＰメッセージをブロードキャストする段階をさらに含む、項目１に記載のシステム情報伝送方法。
（項目８）
無線接続システムにおいて基地局がシステム情報をブロードキャストする方法であって、
任意の制御区間の開始時点で、複数のグループに分類されたシステム情報のインデックスを含むチャネル記述伝送制御情報を、端末に伝送する段階と、
前記制御区間で、前記インデックスによる伝送時点に、該当のグループのシステム情報を該当のグループの設定変更カウントと一緒に前記端末に伝送する段階と、
を含む、システム情報伝送方法。
（項目９）
前記制御区間で特定グループのシステム情報が変更されると、次の制御区間で、システム情報が変更されたグループの設定変更カウントを増加させる段階と、
前記次の制御区間で、前記特定グループのシステム情報を前記増加された設定変更カウントと一緒に前記端末に伝送する段階と、
をさらに含む、項目８に記載のシステム情報伝送方法。
（項目１０）
前記基地局が、各グループの設定変更カウントを含むＭＡＰメッセージをブロードキャストする段階をさらに含む、項目８に記載のシステム情報伝送方法。
（項目１１）
前記基地局が、各グループの設定変更カウントを含む隣接基地局公示（ＭＯＢ−ＮＢＲ−ＡＤＶ）メッセージをブロードキャストする段階をさらに含む、項目８に記載のシステム情報伝送方法。
（項目１２）
無線接続システムにおいて基地局がブロードキャストするシステム情報を更新する方法であって、
任意の制御区間の開始時点で、複数のグループに分類されたシステム情報のインデックス及び設定変更カウントを含むチャネル記述伝送制御情報を受信する段階と、
前記制御区間で、前記インデックスによる伝送時点に、該当のグループのシステム情報を受信する段階と、
前記設定変更カウントが、端末に保存された設定変更カウントと異なると、現在システム情報を前記受信したシステム情報に更新する段階と、
を含む、システム情報更新方法。
（項目１３）
前記複数のグループに分類されたシステム情報は、
該当のグループのグループタイプ、設定変更カウント及び変更ビットのうち少なくとも一つを含む、項目１２に記載のシステム情報更新方法。
（項目１４）
現在システム情報を前記受信したシステム情報に更新する段階は、
前記受信したシステム情報に含まれた変更ビットが変更状態に設定されたシステム情報のみをデコーディングして現在システム情報を更新する段階を含む、項目１２に記載のシステム情報更新方法。
（項目１５）
前記制御区間で特定グループのシステム情報が変更されると、次の制御区間で、前記設定変更カウントが増加されたチャネル記述伝送制御情報を受信する段階と、
前記次の制御区間で、前記特定グループのシステム情報を受信する段階と、
をさらに含む、項目１２に記載のシステム情報更新方法。
（項目１６）
無線接続システムにおいて基地局がブロードキャストするシステム情報を更新する方法であって、
任意の制御区間の開始時点で、複数のグループに分類されたシステム情報のインデックスを含むチャネル記述伝送制御情報を受信する段階と、
前記制御区間で、前記インデックスによる伝送時点に、該当のグループのシステム情報を該当のグループの設定変更カウントと一緒に受信する段階と、
前記設定変更カウントが、端末に保存された該当のグループの設定変更カウントと異なると、現在システム情報を前記受信したシステム情報に更新する段階と、
を含む、システム情報更新方法。
【手続補正２】
【補正対象書類名】特許請求の範囲
【補正対象項目名】全文
【補正方法】変更
【補正の内容】
【特許請求の範囲】
【請求項１】
無線接続システムにおいてシステム情報を伝送する方法であって、
複数のグループに分類された前記システム情報のうちのとのグループが、後続して送信される補助制御情報に含まれるかを指示するグループタイプ情報、システム設定変更カウント及び前記複数のグループのそれぞれの変更有無を指示するビットマップを含む主制御情報を、スーパーフレームの開始地点で端末に伝送する段階と、
前記システム情報のうち、前記グループタイプ情報が指示するグループのシステム情報を含む前記補助制御情報を伝送する段階と、
を含む、システム情報伝送方法。
【請求項２】
前記システム設定変更カウントは、前記複数のグループに共通して適用されることを特徴とする、請求項１に記載のシステム情報伝送方法。
【請求項３】
前記ビットマップの各ビットは、該当のグループの変更状態を、前記システム設定変更カウントと連関付けて指示することを特徴とする、請求項２に記載のシステム情報伝送方法。
【請求項４】
前記各グループのシステム情報は、互いに異なる時点及び周期で伝送されることを特徴とする、請求項１に記載のシステム情報伝送方法。
【請求項５】
前記グループタイプ情報は、前記複数のグループのうちいずれか一つのグループのみを含むことを特徴とする、請求項１に記載のシステム情報伝送方法。
【請求項６】
前記主制御情報は、主放送チャネル（ＰＢＣＨ：  Ｐｒｉｍａｒｙ  Ｂｒｏａｄｃａｓｔ  Ｃｈａｎｎｅｌ）を通じて伝送され、前記補助制御情報は、副放送チャネル（ＳＢＣＨ：  Ｓｅｃｏｎｄａｒｙ  Ｂｒｏａｄｃａｓｔ  Ｃｈａｎｎｅｌ）を通じて伝送されることを特徴とする、請求項１に記載のシステム情報伝送方法。
【請求項７】
無線接続システムにおいて端末がシステム情報を受信する方法であって、
複数のグループに分類された前記システム情報のうちのどのグループが、後続して伝送される補助制御情報に含まれるかを指示するグループタイプ情報、システム設定変更カウント及び前記複数のグループのそれぞれの変更有無を指示するビットマップを含む主制御情報を、スーパーフレームの開始地点で基地局から受信する段階と、
前記受信したシステム設定変更カウントと最後に保存されたシステム設定変更カウントとを比較する段階と、
前記比較の結果、前記二つのシステム設定変更カウントが同一である場合、前記システム情報のうち、前記グループタイプ情報が指示するグループのシステム情報を含む前記後続して伝送される補助システム情報に対するデコーディングを行わないように決定する段階と、
を含む、システム情報受信方法。
【請求項８】
前記システム設定変更カウントは、前記複数のグループに共通して適用されることを特徴とする、請求項７に記載のシステム情報受信方法。
【請求項９】
前記ビットマップの各ビットは、該当のグループの変更状態を、前記システム設定変更カウントと連関付けて指示することを特徴とする、請求項８に記載のシステム情報受信方法。
【請求項１０】
前記各グループのシステム情報は、互いに異なる時点及び周期で伝送されることを特徴とする、請求項７に記載のシステム情報受信方法。
【請求項１１】
前記グループタイプ情報は、前記複数のグループのうちいずれか一つのグループのみを含むことを特徴とする、請求項７に記載のシステム情報受信方法。
【請求項１２】
前記主制御情報は、主放送チャネル（ＰＢＣＨ：  Ｐｒｉｍａｒｙ  Ｂｒｏａｄｃａｓｔ  Ｃｈａｎｎｅｌ）を通じて伝送され、前記補助制御情報は、副放送チャネル（ＳＢＣＨ：  Ｓｅｃｏｎｄａｒｙ  Ｂｒｏａｄｃａｓｔ  Ｃｈａｎｎｅｌ）を通じて伝送されることを特徴とする、請求項７に記載のシステム情報受信方法。
【請求項１３】
無線接続システムにおいてシステム情報を伝送する基地局装置であって、
プロセッサと、
前記プロセッサの制御によって無線信号を外部と送受信するための無線通信（ＲＦ）モジュールと、
を含み、
前記プロセッサは、
複数のグループに分類された前記システム情報のうちのどのグループが、後続して伝送される補助制御情報に含まれるかを指示するグループタイプ情報、システム設定変更カウント及び前記複数のグループのそれぞれの変更有無を指示するビットマップを含む主制御情報が、スーパーフレームの開始地点で放送されるようにし、前記システム情報のうち、前記グループタイプ情報が指示するグループのシステム情報を含む前記補助制御情報が放送されるように制御することを特徴とする、基地局装置。
【請求項１４】
前記システム設定変更カウントは、前記複数のグループに共通して適用され、
前記ビットマップの各ビットは、該当のグループの変更状態を、前記システム設定変更カウントと連関付けて指示することを特徴とする、請求項１３に記載の基地局装置。
【請求項１５】
前記プロセッサは、
前記各グループのシステム情報が、互いに異なる時点と周期で放送されるように制御し、
前記グループタイプ情報は、前記複数のグループのうち、いずれか一つのグループのみを含むことを特徴とする、請求項１３に記載の基地局装置。
【請求項１６】
前記主制御情報は、主放送チャネル（ＰＢＣＨ：  Ｐｒｉｍａｒｙ  Ｂｒｏａｄｃａｓｔ  Ｃｈａｎｎｅｌ）を通じて伝送され、前記補助制御情報は、副放送チャネル（ＳＢＣＨ：  Ｓｅｃｏｎｄａｒｙ  Ｂｒｏａｄｃａｓｔ  Ｃｈａｎｎｅｌ）を通じて伝送されることを特徴とする、請求項１３に記載の基地局装置。
【請求項１７】
無線接続システムにおいて基地局からシステム情報を受信する端末装置であって、
プロセッサと、
前記プロセッサの制御によって無線信号を外部と送受信するための無線通信（ＲＦ）モジュールと、
を含み、
前記プロセッサは、
複数のグループに分類された前記システム情報のうちのどのグループが、後続して伝送される補助制御情報に含まれるかを指示するグループタイプ情報、システム設定変更カウント及び前記複数のグループのそれぞれの変更有無を指示するビットマップを含む主制御情報が、スーパーフレームの開始地点で基地局から受信されると、該受信したシステム設定変更カウントと最後に保存されたシステム設定変更カウントとを比較し、この比較結果、前記二つのシステム設定変更カウントが同一である場合、前記システム情報のうち、前記グループタイプ情報が指示するグループのシステム情報を含む前記後続して伝送される補助システム情報に対するデコーディングを行わないように制御することを特徴とする、端末装置。
【請求項１８】
前記システム設定変更カウントは、前記複数のグループに共通して適用され、
前記ビットマップの各ビットは、該当のグループの変更状態を前記システム設定変更カウントと連関付けて指示することを特徴とする、請求項１７に記載の端末装置。
【請求項１９】
前記各グループのシステム情報が、互いに異なる時点と周期で伝送され、
前記グループタイプ情報は、前記複数のグループのうちいずれか一つのグループのみを含むことを特徴とする、請求項１７に記載の端末装置。
【請求項２０】
前記主制御情報は、主放送チャネル（ＰＢＣＨ：  Ｐｒｉｍａｒｙ  Ｂｒｏａｄｃａｓｔ  Ｃｈａｎｎｅｌ）を通じて伝送され、前記補助制御情報は、副放送チャネル（ＳＢＣＨ：  Ｓｅｃｏｎｄａｒｙ  Ｂｒｏａｄｃａｓｔ  Ｃｈａｎｎｅｌ）を通じて伝送されることを特徴とする、請求項１７に記載の端末装置。
【国際調査報告】
2011510537.tif 000042
2011510537.tif 000043